(57)【要約】【課題】  排気ガス等により環境が悪化したり、コストが嵩むことがなく、一人の作業員でも簡単に遊技機を運搬できる遊技機の運搬具を提供する。【解決手段】  間隔をおいて相対向する一対のリング１・１Ａと、一対のリング１・１Ａを相互に接続する複数の接続体３と、一対のリング１・１Ａ内に架枠２を介して設けられ、遊技機７を包装した段ボール箱１５の四隅部を着脱自在に保持する複数の保持具６と、一対のリング１・１Ａ内に架枠２を介して設けられ、段ボール箱１５の上下左右面にそれぞれ接触する複数のボールベアリング１６とを備える。遊技機７の運搬にフォークリフト等を使用しないので、排気ガスにより工場の環境特性が悪化したり、夜間にバッテリ充電する必要がなく、ランニングコストを削減できる。【選択図】  図１
2006141660.tif 000002
【特許請求の範囲】
【請求項１】
間隔をおいて対向する一対のリング体と、この一対のリング体を接続する複数の接続体とを含み、
一対のリング体に遊技機の少なくとも一部を着脱自在に収容するようにしたことを特徴とする遊技機の運搬具。
【請求項２】
一対のリング体に設けられ、遊技機の少なくとも一部を着脱自在に保持する複数の保持具を含んでなる請求項１記載の遊技機の運搬具。
【請求項３】
一対のリング体に設けられ、遊技機の少なくとも一部に接触する案内体を含んでなる請求項１又は２記載の遊技機の運搬具。
【請求項４】
各接続体を、一のリング体に設けられる接続バーと、他のリング体に設けられて接続バーに着脱自在に嵌め入れられる被接続バーとから構成し、一対のリング体を分離可能とした請求項１、２、又は３記載の遊技機の運搬具。
【発明の詳細な説明】
【技術分野】
【０００１】
本発明は、スロットマシンやプリペイドカード専用機と呼ばれるパチンコ遊技機等からなる遊技機の運搬具に関するものである。
【背景技術】
【０００２】
スロットマシンやパチンコ遊技機等からなる遊技機は、メーカーの工場等で運搬されるが、その際、フォークリフトで運搬されたり、あるいは台車等に立てて搭載した状態で運搬される（特許文献１参照）。
【特許文献１】特開２０００‐２３３０８３号公報
【発明の開示】
【発明が解決しようとする課題】
【０００３】
従来の遊技機は、以上のようにフォークリフトで運搬されるが、フォークリフトがガソリンタイプの場合には、排気ガスにより工場の環境特性が悪化してしまうという大きな問題がある。また、フォークリフトが電気タイプの場合には、環境特性の悪化を回避することができるものの、夜間にバッテリに充電しなければならず、ランニングコストが嵩むこととなる。
【０００４】
さらに、台車に遊技機を単に立てて運搬する場合、例えば台車が旋回四輪タイプのときには、屈曲した通路の搬送には適するが、直進性に欠けるので、高価な電子・電気素子を多数内蔵した重い遊技機が倒れたり、落下して故障するおそれがある。したがって、複数の作業員がゆっくりと慎重に手間をかけて運搬せざるを得ない。
【０００５】
本発明は上記に鑑みなされたもので、排気ガス等により環境が悪化したり、コストが嵩むことがなく、一人の作業員でも簡単に遊技機を運搬することのできる遊技機の運搬具を提供することを目的としている。
【課題を解決するための手段】
【０００６】
本発明においては上記課題を解決するため、間隔をおいて対向する一対のリング体と、この一対のリング体を接続する複数の接続体とを含み、
一対のリング体に遊技機の少なくとも一部を着脱自在に収容するようにしたことを特徴としている。
【０００７】
なお、一対のリング体に設けられ、遊技機の少なくとも一部を着脱自在に保持する複数の保持具を含むと良い。
また、一対のリング体に設けられ、遊技機の少なくとも一部に接触する案内体を含むと良い。
また、各接続体を、一のリング体に設けられる接続バーと、他のリング体に設けられて接続バーに着脱自在に嵌め入れられる被接続バーとから構成し、一対のリング体を分離可能にすることができる。
【０００８】
ここで、特許請求の範囲における一対のリング体は、各種の金属や樹脂等により断面略リング形、中実の断面略円形に形成することができ、その表面を緩衝用のテープやエラストマー等により被覆することができる。この一対のリング体は、相互に分離可能でも良いし、そうでなくても良い。各接続体としては、複数の板やバー等を使用することができる。この接続体には、一対のリング体を接続する機能の他、遊技機の少なくとも一部を保持する機能をも付与することができる。
【０００９】
遊技機には、少なくとも単数複数のスロットマシンやパチンコ遊技機が含まれ、段ボールやビニール等により包装されているか否かを特に問うものではない。遊技機の少なくとも一部には、スロットマシンやパチンコ遊技機の一部の部品（例えば、スロットマシンの分離ユニット等）が含まれ、段ボールやビニール等により包装されているか否かを問うものではない。
【００１０】
遊技機やその一部は、一対のリング体に保持される際、一対のリング体内に完全に収容されるものでも良いし、部分的に突出した状態で収容されるものでも良い。複数の保持具は、一対のリング体やその内部に直接的、あるいは取付バー等を介して間接的に設けることができる。さらに、案内体には、少なくとも単数複数のボールやローラからなるベアリング、アングル等が含まれる。
【発明の効果】
【００１１】
本発明によれば、フォークリフトの排気ガス等により環境が悪化したり、電気代等によりコストが嵩むことがないという効果がある。また、例え一人の作業員でも、簡単に遊技機やその一部を運搬することができる。
また、一対のリング体に、遊技機等を保持する専用の保持具を設ければ、複数の接続体に遊技機等を単に保持させる場合と異なり、遊技機等を略確実に保持して運搬することができる。
【００１２】
また、一対のリング体に、遊技機の少なくとも一部に接触する案内体を設け、この案内体を遊技機に接触して回転するベアリングとすれば、運搬具に遊技機等を収容する際の摩擦抵抗を減少させることができるので、作業の円滑化、迅速化、容易化等を図ることができる。
また、例えば案内体をアングルとすれば、運搬具に遊技機等を収容する際の位置決め作業を容易にすることができ、これを通じて遊技機の運搬性等の向上が期待できる。
【００１３】
さらに、一対のリング体を分離可能とすれば、必要に応じて運搬具の幅方向の占有スペースを狭めることができるので、各リング体のメンテナンス、交換、保管等の便宜を図ることが可能になる。
【発明を実施するための最良の形態】
【００１４】
以下、図面を参照して本発明の好ましい実施の形態を説明すると、本実施形態における遊技機の運搬具は、図１ないし図３に示すように、間隔をおいて相対向する一対のリング１・１Ａと、この一対のリング１・１Ａを相互に接続して一体化する複数の接続体３と、一対のリング１・１Ａ内に設けられ、一台の遊技機７を包装した段ボール箱１５の四隅部を保持する複数の保持具６と、一対のリング１・１Ａ内に設けられ、遊技機７を包装した段ボール箱１５に接触する複数のボールベアリング１６とを備えている。
【００１５】
一対のリング１・１Ａは、図１や図２に示すように、例えばＧＦ強化ＰＣ（強化ガラス繊維ポリカーボネート）、ＧＦ強化ＰＡ（強化ガラス繊維ポリアミド）、ＰＣ（ポリカーボネート）、ＰＭＭＡ（ポリメチルメタクリレート）、ＰＢＴ（ポリブチレンテレフタレート）、鉄、アルミニウム等の所定の材料を使用して同じ大きさに形成され、作業員の作業性や遊技機７の運搬性を考慮して遊技機７よりも大きく形成されるとともに、必要に応じて断面形が中空あるいは中実の円形に形成されており、図示しない作業員の押圧によりドラム缶のように転動して移動する。
【００１６】
各リング１・１Ａは、その内部に、段ボール箱１５を収容する中空枠形の架枠２が装着され、表面には、図示しない緩衝用のテープが巻装される。各架枠２は、リング１・１Ａと同様の材料を使用して縦長の長方形に形成され、図１の奥方向、図２の左右方向に伸長される。
【００１７】
複数の接続体３は、一対のリング１・１Ａの対向部に設けられ、この一対のリング１・１Ａの周方向に所定の間隔で配列される。各接続体３は、図２に示すように、リング１の対向面に一体形成される円柱形の接続バー４と、リング１Ａの対向面に一体形成されて接続バー４に着脱自在に嵌入される円筒形の被接続バー５とから構成され、一対のリング１・１Ａ体を分離可能とする。
【００１８】
複数の保持具６は、各リング１・１Ａの架枠２の内部四隅に装着され、段ボール箱１５の四隅部に着脱自在に密嵌する。各保持具６は、例えば緩衝用の発泡スチロールや弾性のエラストマー等を使用して断面略Ｌ字形に形成され、図１の奥方向に伸長される。
【００１９】
遊技機７は、図３に示すように、筐体ユニット８からメインユニット１２を取り外し可能な分離型のスロットマシンからなる。筐体ユニット８は、内部が上下に二分されるフロントオープンボックスタイプの筐体９と、この筐体９の内部下方に設置されてメダルを払い出すホッパーユニットと、このホッパーユニットや筐体９の内部下方を覆う下部パネル１０と、この下部パネル１０の上部に配設される操作ユニット１１と、筐体９の内部を二分する仕切板に装着される電源ユニット等とから構成される。
【００２０】
メインユニット１２は、筐体９の内部上方に着脱自在に設置される上部パネル１３と、この上部パネル１３に内蔵されて操作ユニット１１の操作で回転するリールユニット１４と、このリールユニット１４等を制御する制御装置等とから構成される。また、段ボール箱１５は、例えば遊技機７を包装した状態でそのまま物流過程に供される溝切り形の外装用タイプが採用され、テープや糊により接合される。
【００２１】
複数のボールベアリング１６は、図１に示すように、各架枠２の内部上下左右の中央に保持板１７を介して装着され、段ボール箱１５の収容の際に段ボール箱１５の上下左右面にそれぞれ接触して回転し、摩擦抵抗を減少させて収容を容易化するよう機能する。複数のボールベアリング１６は保持板１７の長手方向に所定の間隔をおいて配列保持され、各ボールベアリング１６として例えば鉄球が使用される。
【００２２】
上記構成において、遊技機７を包装した段ボール箱１５を作業員が運搬具で一人で運搬する場合には、組み立てておいた運搬具を寝かせてその架枠２内に段ボール箱１５を上方から完全に収容密嵌し、この運搬具を図１や図２のように起こしてその後方から押せば、運搬具が回転しながら転がるので、段ボール箱１５を僅かな労力で素早く運搬することができる。
【００２３】
上記構成によれば、遊技機７の運搬にフォークリフトを一切使用しないので、排気ガスにより工場の環境特性が悪化したり、夜間にバッテリ充電する必要が全くなく、ランニングコストの大幅な削減を図ることができる。また、台車を一切使用しないので、直進性に欠けることがなく、立てた遊技機７が倒れたり、落下して故障するおそれがない。したがって、単独で作業する作業員の作業の円滑化、機動性、迅速化、容易化を図ることができる。また、複数の保持具６内に段ボール箱１５を強固に嵌合するので、運搬時に段ボール箱１５の脱落することがない。
【００２４】
また、運搬具に段ボール箱１５を押し込む際、接触面積の少ないボールベアリング１６がころがり接触するので、段ボール箱１５の収容作業の作業性を大幅に向上させることが可能になる。また、リング１・１Ａの断面が角張っていない中空あるいは中実の円形であるから、例え一人の作業員でも、安定性を維持しつつ容易に運搬具を起伏させたり、舵取りすることが可能になる。さらに、一般的なフォークリフトや台車の幅に比べ、運搬具の幅が狭いので、曲折ある複雑な通路や狭い通路の搬送にも好適である。
【００２５】
次に、図４は本発明の第２の実施形態を示すもので、この場合には、各リング１・１Ａの架枠２を横長の長方形に形成し、この架枠２内に複数の保持具６とボールベアリング１６とを配設するようにしている。
上記構成において、遊技機７を包装した段ボール箱１５を運搬具で運搬する場合には、段ボール箱１５を立ててその上方から運搬具を被せて貫通密嵌し、この運搬具を図４のように立ててその後方から押せば、段ボール箱１５を横にした状態で素早く運搬することができる。その他の部分については、上記実施形態と同様であるので説明を省略する。
【００２６】
本実施形態においても上記実施形態と同様の作用効果が期待でき、しかも、起立した段ボール箱１５に運搬具を貫通密嵌することができるので、作業の作業性や多様性を著しく向上させることができるのは明らかである。また、段ボール箱１５を当初から寝かせた状態で運搬することができるので、段ボール箱１５を手で押さえながら慎重に運搬する必要がない。
【００２７】
次に、図５は本発明の第３の実施形態を示すもので、この場合には、各リング１・１Ａの架枠２の内部四隅に、図の奥方向に伸びるアングル１８をそれぞれ装着するとともに、架枠２内の上下左右の中間部に、図の奥方向に伸びる保持具６を装着し、複数のボールベアリング１６を省略するようにしている。
【００２８】
アングル１８は、例えば硬質の樹脂、鉄、アルミニウム等の材料を使用して断面略Ｌ字形に形成される。保持具６は、緩衝用の発泡スチロールや弾性のエラストマーを使用して板形に形成され、段ボール箱１５に圧接する。その他の部分については、上記実施形態と同様であるので説明を省略する。
【００２９】
本実施形態においても上記実施形態と同様の作用効果が期待でき、しかも、段ボール箱１５の被圧接領域が広いので、段ボール箱１５の保持の確実化が期待できるのは明らかである。
【００３０】
次に、図６は本発明の第４の実施形態を示すもので、この場合には、一対のリング１・１Ａ内に、段ボール箱１５を挟持する一対の保持具６を架設し、架枠２や複数のボールベアリング１６を省略するようにしている。
各保持具６は、例えば硬質の樹脂、鉄、アルミニウム等を使用して板形に形成され、図の奥方向に伸長される。その他の部分については、上記実施形態と同様であるので説明を省略する。
【００３１】
本実施形態においても上記実施形態と同様の作用効果が期待でき、しかも、運搬具の構成の簡素化や部品点数の削減を図ることができるのは明白である。
【００３２】
次に、図７は本発明の第５の実施形態を示すもので、この場合には、各リング１・１Ａの架枠２内の四隅部に、図の奥方向に伸びる滑り性でＬ字形のアングル１８をそれぞれ装着するとともに、架枠２内の上下左右の中間部に、図の奥方向に伸びる保持具６を装着し、この複数のアングル１８と保持具６とに、遊技機７であるスロットマシンのメインユニット１２のみを収容保持させるようにしている。
【００３３】
スロットマシンのメインユニット１２は、ビニール包装の有無を特に問うものではないが、不正行為を防止する観点からビニール包装されていることが好ましい。その他の部分については、上記実施形態と同様であるので説明を省略する。
本実施形態においても上記実施形態と同様の作用効果が期待でき、しかも、運搬の多様化を図ることができる。さらに、遊技内容を司る重要なメインユニット１２のみを直接的に収容し、廃棄物として問題になる段ボール箱１５や発泡スチロール等を省略できるので、省資源化や環境特性に大いに貢献することができる。
【００３４】
なお、上記実施形態では運搬具に１個の段ボール箱１５を収容したが、何らこれに限定されるものではない。例えば、２〜３個の段ボール箱１５を並べて一組とし、この一組の段ボール箱１５を運搬具に収容しても良い。また、一対のリング１・１Ａの対向部間に、専用のグリップバー、ステップバー、ステップ等を架設して収容作業の便宜を図るようにしても良い。
【図面の簡単な説明】
【００３５】
【図１】本発明に係る遊技機の運搬具の実施形態を模式的に示す正面説明図である。
【図２】本発明に係る遊技機の運搬具の実施形態を模式的に示す側面説明図である。
【図３】本発明に係る遊技機の運搬具の実施形態におけるスロットマシンを示す分解斜視説明図である。
【図４】本発明に係る遊技機の運搬具の第２の実施形態を模式的に示す側面説明図である。
【図５】本発明に係る遊技機の運搬具の第３の実施形態を模式的に示す正面説明図である。
【図６】本発明に係る遊技機の運搬具の第４の実施形態を模式的に示す正面説明図である。
【図７】本発明に係る遊技機の運搬具の第５の実施形態を模式的に示す正面説明図である。
【符号の説明】
【００３６】
１          リング（リング体、一のリング体）
１Ａ        リング（リング体、他のリング体）
２          架枠
３          接続体
４          接続バー
５          被接続バー
６          保持具
７          遊技機
８          筐体ユニット
１２        メインユニット（遊技機の一部）
１５        段ボール箱
１６        ボールベアリング（案内体）
１８        アングル（案内体）
【図１】
2006141660.tif 000003
【図２】
2006141660.tif 000004
【図４】
2006141660.tif 000005
【図５】
2006141660.tif 000006
【図６】
2006141660.tif 000007
【図３】
2006141660.tif 000008
【図７】
2006141660.tif 000009